Podtech/llm-jp-corpus-v4-ja_patent huggingface dataset:
(57)【要約】      （修正有）【課題】側溝蓋に浮き上がりをもたらす寸法不良、ひずみ変形があった場合でも、設置された個々の側溝蓋同士がお互いの動きを抑制するように強固に連結させて、騒音発生を軽減するコンクリート製Ｕ形側溝用蓋を提供する。【解決手段】複数個を隣接させて並べ設置するコンクリート製Ｕ形側溝用蓋において、一方の隣接する側面の上半部Ａの幅方向中央に略直方体の凹部２を、さらに下半部Ｂの幅方向両端にそれぞれ略直方体の凹部５が形成されており、他方の隣接する側面には前記幅方向中央の凹部２に嵌合できる大きさの凸部２ａ、および前記両端の凹部５にそれぞれ嵌合できる大きさの凸部５ａを形成したことを特徴とする。【選択図】図１
0003154110.tif 000002
【実用新案登録請求の範囲】
【請求項１】
複数個を隣接させて並べ設置するコンクリート製Ｕ形側溝用蓋において、一方の隣接する側面の上半部Ａの幅方向中央に略直方体の凹部２を、さらに下半部Ｂの幅方向両端にそれぞれ略直方体の凹部５が形成されており、他方の隣接する側面には前記幅方向中央の凹部２に嵌合できる大きさの凸部２ａ、および前記両端の凹部５にそれぞれ嵌合できる大きさの凸部５ａを形成したことを特徴とするコンクリート製Ｕ形側溝用蓋。
【考案の詳細な説明】
【技術分野】
【０００１】  本考案は、側溝の開口部に複数個を並べて設置するコンクリート製Ｕ形側溝用蓋に関する。
【背景技術】
【０００２】  主に道路などの排水設備として用いられるＵ形側溝の開口部には、板状のコンクリート製蓋を側溝の長手方向に複数個を設置している。ところが、上方から自動車の走行車輪などの荷重が負荷された場合、蓋と側溝受け面との断続的な衝突音が生じ、騒音として特に住宅地において問題となっている。【０００３】  これに対処するため特許文献１に開示されているように、一方の側面に略直方体の凸部を、相対する他方の側面に前記略直方体がゆるやかに嵌合できる大きさの凹部をそれぞれ形成した構造とすることが行われている。さらに特許文献２に開示されているように、長手方向で隣接した２つの側溝蓋の突部と陥部を嵌合出来る構造とし、さらに突部と陥部の一部をゴム質部材で形成することが行われている。
【特許文献１】公開実用新案公報  昭５５−７１７８２
【特許文献２】実用新案登録第３１４４５８１号公報
【考案の開示】
【考案が解決しようとする課題】
【０００４】  従来、道路側溝用蓋の上を自動車の走行車輪が乗りかかると大きな断続的衝突音が発生する主な理由は、先述したように側溝蓋が側溝開口部受け面から部分的に浮き上がっているため上方からの荷重により激しく受け面に衝突して音が生じていたものである。この浮き上がりを解消するには、蓋形状および側溝受け面形状の寸法不良、歪み変形などを無くし、浮き上がりを無くすれば良い。しかしながらコンクリート形状の寸法精度向上には限界があり騒音発生を完全に解消することは困難である。そこで、本考案では、個々の側溝蓋に浮き上がりをもたらす寸法不良やひずみ変形があった場合でも、設置された個々の側溝蓋同士をお互いの動きを抑制するように強固に連結させて設置できる構造とすることを課題とする。
【課題を解決するための手段】
【０００５】  本考案において、前記課題を解決する手段は下記の通りである。複数個を隣接させて並べ設置するコンクリート製Ｕ形側溝用蓋において、一方の隣接する側面の上半部Ａの幅方向中央に略直方体の凹部２を、さらに下半部Ｂの幅方向両端にそれぞれ略直方体の凹部５が形成されており、他方の隣接する側面には前記幅方向中央の凹部２に嵌合できる大きさの凸部２ａ、および前記両端の凹部５にそれぞれ嵌合できる大きさの凸部５ａを形成したことを特徴とするコンクリート製Ｕ形側溝用蓋である。
【考案の効果】
【０００６】  本考案によれば、複数個の側溝用蓋を設置した状態で、隣接する面の幅方向中央部においては、一方の蓋上半部の凹部に隣接する蓋の凸部が嵌合されると共に、同じ部位の下半部においては凸部が隣接する凹部に嵌合される関係となるから、一方の蓋は隣接する蓋の荷重により上方移動が制限される。【０００７】  さらに隣接する面の両端部においては、逆に、一方の蓋の上半部両凸部が、隣接する蓋の両凸部に乗りかかるような関係となるから、一方の蓋凸部の荷重により隣接する蓋の上方移動を制限している。このように、本考案の蓋を隣接させて設置すると隣接幅方向の中央部と両端部では、移動方向の制限が逆方向に作用するから、二つの蓋は互いに上下移動を制限しあうことなる。すなわち、個々の蓋の浮き上がり部位が受け面に衝突して生じていた衝突音が、大幅に軽減される。
【考案を実施するための最良の形態】
【０００８】  本考案の実施例を図面に基づいて説明する。
【実施例】（実施例１）図１は、本考案のコンクリート製Ｕ形側溝用蓋１（以下、側溝蓋と記載）の斜視図である。図１に示すように側溝蓋１の一方の隣接する面において、上半部Ａの幅方向中央には直方体の凹部２が形成されている。さらに、下半部Ｂの幅方向両端には直方体の凹部５がそれぞれ形成されている。本実施例では中央の凹部は幅寸法の１／３、両端の凹部はそれぞれ１／３となっている。側溝蓋１の他方の隣接する面において、上半部Ａの幅方向中央には直方体の凸部２ａが形成され、その大きさは前記直方体の凹部２に嵌合できるものとなっている。さらに下半部Ｂの幅方向両端には直方体の凸部５ａがそれぞれ形成され、その大きさは前記直方体の凹部５に嵌合できるものとなっている。【０００９】  さらに説明するならば、側溝蓋１の一方の隣接する面において、下半部Ｂの幅方向中央に形成されている凸部４は他方の隣接する面の凹部４ａと嵌合できる大きさであり、一方の隣接する面における上半部Ａの幅方向両端の凸部３は他方の隣接する面の凹部３ａと嵌合できる大きさとなっている。【００１０】  図２は、実施例１の側溝蓋１の中央部における嵌合面に垂直な断面図（ａ）および両端部における嵌合面に垂直な断面図（ｂ）である。同図（ａ）に示すように側溝蓋１の左端の凹部２は、隣接する側溝蓋１ａの凸部２ａにより上方向の移動が制限されると共に、同図（ｂ）に示すように隣接する側溝蓋１ａの凸部５ａによって下方向への移動も制限される。すなわち、嵌合面では隣接する側溝蓋は互いに上下移動を制限し合って強固に嵌合できる。【００１１】  図３は、複数個の側溝蓋１をコンクリート製Ｕ形側溝１０の開口部の受け面１１を架台として設置した斜視図である。それぞれの側溝蓋１は、嵌合部２０で強固に設置でき、それぞれの上下方向の移動が制限され、側溝蓋の浮き部が自動車の走行荷重により接地して発生する衝突音が大幅に軽減される。
【図面の簡単な説明】
【００１２】
【図１】本考案の実施例１を示す斜視図である。
【図２】本考案の側溝蓋の嵌合部垂直断面図である。
【図３】本考案の側溝蓋を側溝に設置した斜視図である。
【符号の説明】
【００１３】１  ・・側溝蓋
２  ・・中央上半部の凹部
２ａ・・中央上半部の凸部
３  ・・両端上半部の凸部
３ａ・・両端上半部の凹部
４  ・・中央下半部の凸部
４ａ・・中央下半部の凹部
５  ・・両端下半部の凹部
５ａ・・両端下半部の凸部
１０・・Ｕ形側溝
１１・・受け面
２０・・嵌合部
【図１】
0003154110.tif 000003
【図２】
0003154110.tif 000004
【図３】
0003154110.tif 000005
(57)【要約】      （修正有）【課題】日除けと汗取りを兼ね、かつ、マスク機能を果たす着脱自在な日除けマスク用布帯を提供する。【解決手段】前頭部を鉢巻状に覆う長尺の第１の布片と、この第１の布片の中央部の一部が連結された連結部３と、この連結部３の両端が接合されずに端部に向かって立ち上がる傾斜端縁４ａ，４ｂを有し、後頭部を覆って顔面両側に折り畳み、鼻の部分を覆ってその両端を固定する第２の布片５とを有することを特徴とする。これにより農作業等において、簡単に日除けと汗取りが出来るとともに、第２の布片５が口元を覆っているので、マスクとして機能を果たすことができ、例えば、草類の花粉が飛来する時期において着用すれば、絶大なる効果を発揮する。【選択図】図１
0003154108.tif 000002
【実用新案登録請求の範囲】
【請求項１】
前頭部を鉢巻状に覆う長尺の第１の布片と、この第１の布片の中央部の一部が連結された連結部と、この連結部の両端が接合されずに端部に向かって立ち上がる傾斜端縁を有し、後頭部を覆って顔面両側に折り畳み、鼻の部分を覆ってその両端を固定する、第２の布片とを有することを特徴とする日除けマスク用布帯。
【請求項２】
前記布片は、綿の晒し布等、柔軟性かつ吸水性に富んだ布から成ることを特徴とする請求項１に記載の日除けマスク用布帯。
【考案の詳細な説明】
【技術分野】
【０００１】  本考案は、後頭部、前頭部及び顔面を覆い、日除けと汗取りを兼ねた新規な日除けマスク用布帯に関するものである。
【背景技術】
【０００２】  従来、農作業などの野外作業において、後頭部や顔などの日焼けや、日射病を防止するためには、一般的にハット、キャップ等の帽子が用いられていた。
これらの技術の一つとして、例えば、実用新案登録第３１３２９３４号公報に記載されたものがある。この技術は、長方形状のタオルの後頭部に留め合わせる事の出来る部材を付け、結び合わせる部分の生地を薄くし、額部にデザイン柄を入れた事を特徴とし、最終的な形状として帽子となるタオルに係るものである。
【先行技術文献】
【特許文献】
【０００３】
【特許文献１】  実用新案登録第３１３２９３４号公報
【考案の概要】
【考案が解決しょうとする課題】
【０００４】  しかしながら、従来の技術には概略以下のような難点がある。
（１）ハットやキャップ等の帽子であれば、頭部のみを覆い、主に頭部の日除けとしての機能は果たすことができるが、顔面に対する日除けはできない。
（２）マスクとしての機能はない。
（３）顔面等の汗取り機能は果たすことができない。
【課題を解決するための手段】
【０００５】  本考案は、上記のような課題を解決するためになされたもので、汗取り等のため、吸水性に優れた柔らかい布である、木綿等晒し布を使用し、前頭部を鉢巻状に覆う長尺の第１の布片と、この第１の布片の中央部の一部が連結された連結部と、この連結部の両端が接合されずに端部に向かって立ち上がる傾斜端縁を有し、後頭部を覆って顔面両側に折り畳み、鼻の部分を覆ってその両端を固定する、第２の布片とを有する日除けマスク用布帯としたことを特徴とするものである。
【考案の効果】
【０００６】  本考案は、上記のように構成したので、以下のような効果を奏する。
（１）本考案の日除けマスク用布帯は、例えば綿の晒し等の柔らかい布を使用し、折り曲げ、巻回が自在であるため、後頭部と前頭部及び顔面部の覆いが自由に出来る。
（２）本考案の日除けマスク用布帯は、例えば従来の帽子と共に使用することが出来、第２の布片を首の根元まで垂らして当該部分の日除けとしても使用することができる。
（３）本考案の日除けマスク用布帯は、第１の布片と第２の布片を平面的に結合したものであり、汗を吸取った後、容易に洗濯することができ、便利かつ衛生的である。
（４）本考案の日除けマスク用布帯は、顔面部を覆う日除け兼マスクとして使用することができ、多面的な機能を発揮し得るきわめて有用な日除けマスク用布帯であり、しかも２枚の布片のみから構成されているので、安価に製作し需要者に提供することができる。
【実施例】
【０００７】  以下、本考案の実施例を、図を参照して詳細に説明する。
図１において、１は、日除けマスク用布帯全体を示す展開図である。
この日除けマスク用布帯１は、前頭部を鉢巻状に覆う長尺の第１の布片２と、この第１の布片２の中央部の一部が連結された連結部３と、この連結部３の両端が接合されずに端部に向かって立ち上がる傾斜端縁４ａ，４ｂを有し、後頭部を覆って顔面両側に折り畳み、鼻の部分を覆ってその両端を固定する、第２の布片５とを有する。【０００８】  上記の第１の布片２及び第２の布片５は、綿の晒し布等、柔軟性かつ吸水性に富んだ布から形成されている。勿論、この布片５の材料は、綿の晒し布等に限らず、柔軟性があって汗取りに優れた材料であれば、他のものでも良い。
図２ないし図４は、本考案の日除けマスク用布帯１の人体への装着状態を示し、図２は装着状態を正面から見た図、図３は装着状態を側面から見た図、図４は装着状態を後から見た図である。【０００９】  次に、上記のように構成の日除けマスク用布帯１の人体への装着方法について説明する。
先ず、人体６の前頭部に第１の布片２の両端を持って、前方から後方に向かって鉢巻状に巻く。次いで、第２の布片５を後方に垂らし、後頭部を覆って、その両端を顔面側に回し、鼻の部分を覆って両端を重ね合わせ固定する。その際の固定方法は、特に限定されないが、安全ピンや、予め第２布片５の両端に互いに係合するホックを設けることや、あるいはボタン留め手段を設けておいても良い。【００１０】  図５は、上記日除けマスク用布帯１を装着した後、日除け等をさらに確実にするために、キャップ等の帽子７を被るようにしたものである。
本考案の日除けマスク用布帯１は、人体に装着した状態できわめて外観的体裁が良く、ファッション性に富んでいるため、好んで婦人等に愛用され、しかも日除け効果、汗取り効果が大きく、炎天下の農作業等に好適である。さらにはマスクとして機能を果たすことができるため、例えば、草類の花粉が飛来する時期において着用すれば、その効果は計り知れないものがある。
【図面の簡単な説明】
【００１１】
【図１】本考案の日除けマスク用布帯の平面図である。
【図２】上記日除けマスク用布帯を装着した状態の正面図である。
【図３】上記日除けマスク用布帯を装着した状態の側面図である。
【図４】上記日除けマスク用布帯を装着した状態の背面図である。
【図５】上記日除けマスク用布帯とキャップとを併用した状態を示す正面図である。
【符号の説明】１          日除けマスク用布帯
２          第１の布片
３          連結部
４ａ，４ｂ  傾斜縁部
５          第２の布片
６          人体
７          帽子
【図１】
0003154108.tif 000003
【図２】
0003154108.tif 000004
【図３】
0003154108.tif 000005
【図４】
0003154108.tif 000006
【図５】
0003154108.tif 000007
(57)【要約】【課題】襟の部分をシャツ本体とは別に設け、この別に設けた襟をシャツ本体に着脱自在にして、襟を交換可能とし、襟とシャツ本体の寿命を延ばして環境に優しいものとし、しかも襟とシャツ本体の色を色違いとすることにより、シャツのファッション性を高める新規なシャツを提供する。【解決手段】シャツ本体１の襟を立襟２とし、シャツ本体１とは別に襟３だけを設けて、この別設した襟３を上記立襟２に着脱自在にしてある。【選択図】図２
0003154172.tif 000002
【実用新案登録請求の範囲】
【請求項１】
シャツ本体の襟を立襟とし、シャツ本体とは別に襟だけを設けて、この別設した襟を上記立襟に着脱自在にしてあることを特徴とするシャツ。
【請求項２】
シャツ本体とは別に袖だけを設けて、この別設した袖をシャツの袖口に着脱自在にしてある上記請求項１に記載のシャツ。
【請求項３】
上記別設した襟の色をシャツ本体の色とは別の色にしてある上記請求項１に記載のシャツ。
【請求項４】
上記別設した袖の色をシャツ本体の色とは別の色にしてある上記請求項２に記載のシャツ。
【請求項５】
上記別設した襟の色と同じく別設した袖の色とを同色としてある上記請求項３又は４に記載のシャツ。
【考案の詳細な説明】
【技術分野】
【０００１】
本考案は、シャツに関する。
【背景技術】
【０００２】
通常シャツには襟が付いているのが普通であるが、近年襟なしで立襟が付いたシャツが知られている。しかし、襟付きのシャツは、シャツ本体に異常がなくても、襟の部分が汚れ易く、損傷が激しい。従って襟の部分が損傷すると、シャツ本体に異常がなくてもシャツを廃棄にしてしまう。
【考案の概要】
【考案が解決しようとする課題】
【０００３】
上記の通り、襟付きのシャツは、シャツ本体に何らの損傷がなくても、襟部分の損傷が多いためにシャツを無駄に廃棄処分してしまうという課題がある。
本考案は、襟の部分をシャツ本体とは別に設け、この別に設けた襟をシャツ本体に着脱自在にして、襟を交換可能とし、襟とシャツ本体の寿命を延ばして環境に優しいものとし、しかも襟とシャツ本体の色を色違いとすることにより、シャツのファッション性を高める新規なシャツを提供することを目的とする。
【課題を解決するための手段】
【０００４】
そのために、本考案は、シャツ本体の襟を立襟とし、シャツ本体とは別に襟だけを設けて、この別設した襟を上記立襟に着脱自在にしてあることを特徴とする。
また、本考案は、シャツ本体とは別に袖だけを設けて、この別設した袖をシャツの袖口に着脱自在にしてあることも特徴とする。
【０００５】
上記別設した襟の色をシャツ本体の色とは別の色にしてあることも特徴とし、また、上記別設した袖の色をシャツ本体の色とは別の色にしてあることも特徴とする。
上記別設した襟の色と同じく別設した袖の色とを同色としてあることも特徴とする。
【考案の効果】
【０００６】
本考案は、シャツ本体の襟を立襟とし、シャツ本体とは別に襟だけを設けて、この別設した襟を上記立襟に着脱自在にしてあるから、立襟のシャツをそのままで着用できる効果があり、一枚のシャツ本体に複数の襟を設け、損傷し易いという襟を交換して着用し、シャツの寿命を延ばして環境に優しいシャツにしたという効果がある。
同じく、本考案は、シャツ本体とは別に袖だけを設けて、この別設した袖をシャツの袖口に着脱自在にしてあるから、襟と同様、損傷し易い袖を交換して着用し、シャツの寿命を延ばして環境に優しいシャツにしたという効果がある。
【０００７】
上記別設した襟の色をシャツ本体の色とは別の色にしてあり、上記別設した袖の色をシャツ本体の色とは別の色にしてあるから、シャツのファッション性を高め、着用する人が楽しむことができる効果もある。
【図面の簡単な説明】
【０００８】
【図１】別設した襟と別設した袖とをシャツ本体に装着した本考案シャツの斜面図である。
【図２】別設した襟と別設した袖とをシャツ本体から分離した状態のシャツの斜面図である。
【図３】別設した襟の色をシャツ本体の色と別にした襟の斜面図である。
【図４】別設した袖の色をシャツ本体の色と別にした袖の斜面図である。
【図５】別設した襟を開いて示した平面図である。
【図６】別設した袖を開いて示した平面図である。
【考案を実施するための形態】
【０００９】
図面に示した実施例により本考案の詳細を説明する。
図中符号１がシャツ本体であり、このシャツ本体１は図２に示すように立襟２としてある。本考案では、このシャツ本体１の立襟２とは別に、襟３だけを設けてあり、この別設した襟３を上記立襟２に着脱自在にしてある。この襟３の着脱構造は、図面に示した実施例では面ファスナーを用いてあるが、これはボタンでもいいし、ホックでもいいし，さらにまた別の着脱構造のものであってもいい。
【００１０】
本考案では、襟３だけでなく、袖もシャツ本体１とは別に設けてあり、この別設した袖４をシャツ本体１の袖口５に着脱自在にしてある。この袖４の着脱構造は襟３の着脱構造と同様である。
【００１１】
図３及び図４に示すように、この襟３と袖４とはシャツ本体１の色と別の色にしてあるとよい。そして襟３と袖４とを同色にするとよい。これら襟３と袖４とは、図５と図６に示すように２つ折りにできるようにしてある。
【００１２】
本考案では、襟３と袖４とをシャツ本体１と着脱自在にしてあるから、襟３と袖４とを交換して着用でき、シャツの寿命を延ばして環境に優しく使用できる。また、襟３と袖４の色をシャツ本体１の色と異なる色にし、シャツのファッション性を高め着用者が楽しむことができる。
【符号の説明】
【００１３】
１    シャツ本体
２    立襟
３    襟
４    袖
５    袖口
【図１】
0003154172.tif 000003
【図２】
0003154172.tif 000004
【図３】
0003154172.tif 000005
【図４】
0003154172.tif 000006
【図５】
0003154172.tif 000007
【図６】
0003154172.tif 000008
(57)【要約】      （修正有）【課題】ハンドルを容易に交換できるバッグを提供する。【解決手段】ハンドルとバッグ本体を面ファスナーで取り付けることによって、ハンドルを容易に交換ができるようにした。また、ハンドルに付けられた挟持部の面ファスナーにて本体を挟むことでバッグ本体とハンドルが密着する安定感、または接着強度を上げた。バッグのハンドル、又は本体が古くなったとき、あるいはデザインを変更するときに容易にハンドルを交換できる。【選択図】図１
0003154150.tif 000002
【実用新案登録請求の範囲】
【請求項１】
バッグ本体とハンドルを面ファスナーで取り付けることによって、ハンドルを容易に交換ができるようにしたことを特徴とするバッグ。
【請求項２】
ハンドルは環状に形成し、ハンドルの内面と、バッグ本体外面のハンドルが当接する部分に一対の面ファスナーを取り付け、前記ハンドルを前記バッグ本体外面に着脱自在に接着したことを特徴とする、請求項１記載のバッグ。
【請求項３】
バッグ本体縁部に当接する部分に、面ファスナーを取り付けられた矜持部をハンドル内側に設け、前記矜持部により、バッグ本体縁部を挟むことで、バッグとハンドルの接着強度をあげることを特徴とする請求項１または２に記載のバッグ。
【考案の詳細な説明】
【技術分野】
【０００１】
この考案は、バッグのハンドル（持ち手、ショルダーストラップなども含む）取り付け構造に関する。
【背景技術】
【０００２】
従来のバッグのハンドルは図４の示すように、糸で縫われるなど、ハンドルはバッグ本体に固定されているものである。
【考案の概要】
【考案が解決しようとする課題】
【０００３】
いままでの状態ではハンドルとバッグ本体は縫製などで固定されているため、ハンドル又は本体が古くなったとき、あるいはハンドルのデザインの変更をしたい時、容易に交換することができない。そこで、この考案は、ハンドルを容易に交換できるバッグを提供することを課題とする。
【課題を解決するための手段】
【０００４】
以上の課題を解決するために、第一の考案は、図1のようにハンドルを面ファスナーで取り付けることによって、ハンドルを容易に交換できるようにしたことを特徴とするバッグである。
また、第二の考案は、図2、及び図３が示すように、ハンドルに縫い付けられた面ファスナーにて本体を挟むことである。
【０００５】
第三の考案は環状に形成したハンドルを、バッグ本体の外面と、ハンドル内面に一対の面ファスナーを取り付け、前記ハンドルを前記バッグ本体外面に着脱自在に接着できることを特徴とする。
【考案の効果】
【０００６】
第一の考案によれば、バッグのハンドル、又は本体が古くなったとき、あるいはデザインを変更するときに容易に交換できるものである。
また、または第二の考案によれば、バッグとハンドルの安定感または取り付け強度を上げることができるものである。
【図面の簡単な説明】
【０００７】
【図１】本考案の実施形態と、実施形態を分解した斜面図である。
【図２】第二の考案を示す、ハンドルの矜持部を示した斜面図である。
【図３】第二の考案を示す、ハンドルの矜持部をバッグ本体縁部に取り付けた斜面図である。
【図４】従来技術を示す斜面図である。
【考案を実施するための形態】
【０００８】
本考案の一実施形態を、トートバッグを例に挙げて図１ないし図３に示し説明する。
【０００９】
バッグ本体１は有底の袋体で、これにハンドル２を面ファスナー３で着脱自在に接着するものである。  
【００１０】
具体的にはバッグ本体１の外面のハンドル接着部分に面ファスナーを縫い付け、ここに当接される環状のハンドル２の内面に面ファスナーを縫い付ける。
【００１１】
バッグ本体の１の側面に縫い付けた面ファスナーにハンドル内面に縫い付けられた面ファスナーを当接、離脱することにより、バッグ本体１に対して、ハンドルが交換自在になっている。
【００１２】
尚、ハンドルは、バッグ本体の底部を支えるよう、バッグを挟持するように接着されることが望ましい。
【００１３】
また、ハンドルの着脱防止のための補強構造として、ハンドル２のバッグ本体縁部４に当接する部分には、バッグ本体縁部４を面ファスナーで挟んで接着するべく、ハンドル２には両面に面ファスナーが取り付けられた挟持部５が設けられ、バッグ本体縁部４の内面にも面ファスナーが取り付けられている。
【００１４】
この実施形態によれば、ハンドルの消耗などによる交換がし易くなり、また気軽に交換できることで、従来では出来なかったハンドルの色替えも容易くできるようになる。
また、図２図３に示したように、バッグ本体の淵を面ファスナーで挟み込むことにより、バッグ本体とハンドルの取り付け強度を増すことができる。
以上の実施形態を用いればバッグ形態に関わらず、あらゆるバッグのハンドル、ショルダーストラップの取り付けに応用できる。
【符号の説明】
【００１５】
１  バッグ本体            ２  ハンドル
３  面ファスナー          ４  バッグ本体縁部
５  挟持部
【図１】
0003154150.tif 000003
【図２】
0003154150.tif 000004
【図３】
0003154150.tif 000005
【図４】
0003154150.tif 000006
(57)【要約】      （修正有）【課題】着付けに際しての襦袢と着物の仮止めを、容易に、かつ、安定して行える和装用挟持具を提供する。【解決手段】一方側を挟持部５とするとともに他方側を指掛け部７とする一対の挟持片３・３を備え、それらが中間位置で互いに回動可能に軸支されて連結され、通常時にはバネ力により挟持部５・５側が互いに近接してその間に衿を挟み固定する和装用挟持具１において、挟持片３・３をともにプラスチックで形成するとともに、挟持部５・５を衿形状に沿う方向において指掛け部７・７に比して巾広に形成する。【選択図】図１
0003154970.tif 000002
【実用新案登録請求の範囲】
【請求項１】
一方側を挟持部とするとともに他方側を指掛け部とする一対の挟持片を備え、それらが中間位置で互いに回動可能に軸支されて連結され、通常時にはバネ力により前記挟持部側が互いに近接してその間に衿を挟み固定する和装用挟持具において、
前記挟持片がともにプラスチックよりなるとともに、前記挟持部が衿形状に沿う方向において前記指掛け部に比して巾広に形成されてなることを特徴とする和装用挟持具。
【請求項２】
前記挟持部が前記衿形状に沿って湾曲形成されてなることを特徴とする請求項１記載の和装用挟持具。
【考案の詳細な説明】
【技術分野】
【０００１】
本考案は、着付けの際に襦袢と着物の衿元を挟んで、一時的に固定するための和装用挟持具に関する。
【背景技術】
【０００２】
着物の着付けは先に着た襦袢の上に重ねて着物を羽織り、その全体が美しく整うようになされる。その際、衿部分を美しく仕上げるには着付けの間襦袢と着物との衿の重ね部分を後位置において固定しておく必要があり、そのために本考案の如き和装用の挟持具が用いられている。
【先行技術文献】
【特許文献】
【０００３】
【特許文献１】実開平２−１１０６３０号公報
【考案の概要】
【考案が解決しようとする課題】
【０００４】
この種の和装用挟持具としては、特許文献１におけるような単なるクリップ形態のものが一般的である。しかしながらクリップ形態の場合、部分的にしか固定できないので衿全体を安定して固定するには複数のものを使用しなければならず、手間がかかった。また、クリップ形態のものの場合、衿に部分的に力がかかるので衿が変形するおそれがあった。
【０００５】
本考案は、着付けに際しての仮止めを、容易に、かつ、安定して行えるようにすることを目的とする。
【課題を解決するための手段】
【０００６】
本考案に係る和装用挟持具は、一方側を挟持部とするとともに他方側を指掛け部とする一対の挟持片を備え、それらが中間位置で互いに回動可能に軸支されて連結され、通常時にはバネ力により前記挟持部側が互いに近接してその間に衿を挟み固定する和装用挟持具において、前記挟持片がともにプラスチックよりなるとともに、前記挟持部が衿形状に沿う方向において前記指掛け部に比して巾広に形成されてなることを特徴とする。
【０００７】
本考案の和装用挟持具の構成によれば、挟持片それぞれの挟持部が衿形状に沿う方向において指掛け部に比して巾広く形成されていることで、衿が巾広い部分において安定して固定される。
挟持片はプラスチック製であるから製造が容易であり、コストも低廉に抑えることができる。また、例えば金属製のものと比較すると遥かに軽いので使い勝手がよく、着付けに慣れない初心者が長時間使用しても疲れが出ない。
その形態は上記の基本形態を備えていれば適宜の形態とされてよい。プラスチック材料としてはＡＢＳ樹脂等適宜の材料が選択使用できる。
また、巾広の挟持部が衿形状に沿って湾曲形成されることで、さらに衿が安定して固定されるとともに、美しい状態に保持される。
【考案の効果】
【０００８】
本考案の和装用挟持具を用いることで、着付けに際しての仮止めを、容易に、かつ、安定して行えるようになり、これにより、着付け作業がスムーズに行えるとともに、衿部分の美しい仕上げが可能となる。
【図面の簡単な説明】
【０００９】
【図１】本考案の実施形態に係る和装用挟持具を示す斜視図である。
【図２】図１のＡ−Ａ線における断面図である。
【図３】本考案の実施形態に係る和装用挟持具の使用状態図である。
【考案を実施するための形態】
【実施例１】
【００１０】
図１は本実施例における和装用挟持具１の斜視図、図２は同断面図である。３・３のそれぞれはプラスチックス製の挟持片であり、一方側を挟持部５とし他方側を指掛け部７としている。挟持片３・３はともに全体がその巾方向において衿形状に沿うように湾曲しており、それらの挟持部５の巾Ｗはともに８ｃｍ程度と巾広く形成されている。
図２に示すとおり、下側の挟持部５にはその端縁に沿って湾曲状に当たり縁１９が一体に設けられている。
【００１１】
挟持片３・３それぞれの挟持部５と指掛け部７との中間位置には、互いに相対する位置の両側に一対の軸支持部９、１１がそれぞれ一体に突設されており、その軸支持部９、１１においてネジピン１３により軸支持されることで、挟持片３・３のそれぞれはその湾曲方向を同方向として互いに回動可能に連結されている。１５はネジピン１３に装着されるコイルバネであり、その両端部が指掛け部７・７の内面それぞれに弾接してそれらを離反させることで、通常時において挟持部５・５側を互いに近接させるようになっている。
【００１２】
図３は本実施例における和装用挟持具１の使用状態を示すものである。和装用挟持具１は指掛け部７・７それぞれに力がかけられることで挟持片３・３のそれぞれの挟持部５・５側が開かれ、その湾曲形態が襦袢と着物との衿の重ね部分Ｅの形態に合う方向としてその間に衿の重ね部分Ｅを挟むように取り付けられる。その際、挟持部５・５が巾広であるとともに衿形状に沿うように湾曲しているので、和装用挟持具１は安定して、衿を所定の湾曲形状に保つように取り付けられる。また、この際には当たり縁１９が首に沿うように当接することでも和装用挟持具１は安定して取り付けられる。これにより、１個の和装用挟持具１を用いるだけで、着付けの間において襦袢と着物との衿の重ね部分Ｅを広い範囲において所定の美しい形状に固定保持することができる。
【符号の説明】
【００１３】
１      和装用挟持具
３      挟持片   
５      挟持部
７      指掛け部
９      軸支持部
１１    軸支持部
１３    ネジピン
１５    コイルバネ
１９    当たり縁
Ｗ      挟持部５の巾
Ｅ      襦袢と着物との衿の重ね部分
【図１】
0003154970.tif 000003
【図２】
0003154970.tif 000004
【図３】
0003154970.tif 000005
(57)【要約】      （修正有）【課題】常温での保存と携帯を可能とし、ゆで調理時間を短縮させる缶たまごを提供する。【解決手段】殺菌・抗菌方法に、光パルス殺菌、および、わさびガス封入抗菌を採用し、かつ、鶏卵を鶏卵形状の缶詰内部に収容し、ネジで分割可能にした。【選択図】図１
0003154990.tif 000002
【実用新案登録請求の範囲】
【請求項１】
鶏卵等の生卵（１ヶ）を缶詰等（レトルト保存含む）の状態に殺菌保存し、常温保存・携帯可能化したもの。
（尚、殺菌はパルス光殺菌等により熱処理を避けるものとする。）
【請求項２】
〔請求項１〕の缶形状を自然鶏卵の形状（サイズ・形状）に加工しクリップ蓋・ネジ蓋・テープ状剥離蓋等の簡便な開閉容器状態としたもの。
【請求項３】
〔請求項２〕の缶容器の外観にカラー着色・表面艶消し仕上げ等の意匠デザインをほどこし、オリジナリティーを付加したもの。
【考案の詳細な説明】
【技術分野】
【０００１】本考案は殺菌缶詰（あるいはレトルト）加工し、長期常温保存・携帯可能とした鶏卵等の生たまごに関する。
【背景技術】
【０００２】従来の自然卵は、保存加工がなされていないままである。
【考案の開示】
【考案が解決しようとする課題】
【０００３】しかし、これでは、常温での長期保存は困難であり、かつ、外殻が破壊され易いものであるため、携帯することも困難である。
【課題を解決するための手段】
【０００４】そこで、自然卵から生卵を取り出し、缶詰（レトルト）等の保存加工をほどこし殺菌（パルス光殺菌等）することを考案した。
また、外観を缶においては、自然卵の形状に整形し、開閉を指手動で簡易になすことができうるもの（クリップ・ネジ・テープ状開閉等）とした。
【考案の効果】
【０００５】よって、本考案の（缶・レトルト）殺菌保存加工により常温での長期保存を可能とし、また、金属缶等の方法にて外殻を耐破壊化することで携帯食品化することにした。
これにより、生卵の非常食化・自動販売機等での販売・オフィス昼食、ハイキング等への持参などを可能にした。
【考案を実施するための最良の形態】
【０００６】本考案に係る「（缶詰・レトルト）保存加工生卵」は、図１に示すように生卵Ｔを包み込む金属状等の外殻１を備えている。
そして、外殻に封入後、密封殺菌加工をほどこし、長期常温保存に耐えうるものとする。
特に金属缶詰状のものは、意匠・物流等の面から自然鶏卵と同等の形状・サイズとし２の中間部はネジ状等の簡易開閉形状とし、もって指動作により、容易に開封できるものとする。
素材は、アルミあるいはスチール等で形成することが望ましく、デザイン等の付価が必要な時は、カラーリング・ラッピング等の加工を必要に応じてほどこすものとする。
【図面の簡単な説明】
【０００７】
【図１】本考案に係る缶詰状生卵の外殻を金属（アルミ・スチール等）にて製作した状態の断面図である。
【図２】本考案に係る缶詰状生卵を開閉した状態の図である。
【図３】従来の自然（鶏）卵の断面図である。
【符号の説明】
【０００８】１  金属外殻（アルミ・スチール等）
２  中間開閉部
３  自然卵外殻
Ｔ  生卵（黄卵）
【図１】
0003154990.tif 000003
【図２】
0003154990.tif 000004
【図３】
0003154990.tif 000005
【手続補正書】
【提出日】平成21年5月26日(2009.5.26)
【手続補正１】
【補正対象書類名】実用新案登録請求の範囲
【補正対象項目名】全文
【補正方法】変更
【補正の内容】
【実用新案登録請求の範囲】
【請求項１】
鶏卵を内部に収容し、ネジで分割可能にした鶏卵経常の缶詰。
殺菌・抗菌方法としては、「光パルス殺菌」および「わさびガス封入抗菌」を採用することとし、品質変性回避のため通常の缶詰加工に採用される加熱殺菌・抗菌を避けることとする。
【手続補正２】
【補正対象書類名】明細書
【補正対象項目名】全文
【補正方法】変更
【補正の内容】
【考案の詳細な説明】
【技術分野】
【０００１】本考案は殺菌・抗菌缶詰加工し、常温保存・ネジ分割・ゆで調理容易化携帯可能化した鶏卵に関する。
【背景技術】
【０００２】従来の自然鶏卵は、保存加工がなされていないままである。
【考案の開示】
【考案が解決しようとする課題】
【０００３】しかし、これでは、常温での保存は困難であり、かつ、外殻が破壊され易いものであるため、携帯することも困難である。
また、ゆで調理に時間を要し、かつ、ゆで卵の取り出しにも外殻を剥くための手間がかかる。
【課題を解決するための手段】
【０００４】そこで、自然鶏卵から生卵を取り出し、「光パルス殺菌」にて殺菌した後、「わさびガス」を抗菌剤として封入しつつネジ切り缶詰保存加工をほどこすことを考えた。また、外観においては、自然鶏卵の形状に成型し、開閉を指手動で簡易になすことができるネジ分割可能型とした。
【考案の効果】
【０００５】よって、本考案の殺菌・抗菌缶詰保存加工により常温での保存を可能とし、また、金属缶の方法にて外殻を耐破壊化することで携帯可能化した。
これにより、自動販売機での販売・オフィス昼食持参・ハイキングへの持参などを可能にした。また、外殻をアルミあるいはスチールなどの金属とすることにより、その熱貫流率の高さから、ゆで調理時間を短縮させ、かつ、ゆで調理後の外殻の剥離作業を容易にさせた。
【考案を実施するための最良の形態】
【０００６】本考案に係る「缶たまご」は、図１に示すように生卵Ｔを包み込む金属状の外殻１を備えている。
そして、「光パルス殺菌」にて殺菌後、「わさびガス抗菌」により密封抗菌加工をほどこし、常温保存に耐えうるものとする。
特に金属缶詰形状は、意匠・物流等の面から自然鶏卵と同等の形状・サイズとし、中間部はネジ状分割とし、もって指動作により、容易に開封できるものとする。
素材はアルミあるいはスチール成型することが望ましく、デザイン等の付加が必要な時は、カラーリング・ラッピング等の加工を必要に応じてほどこすものとする。
【図面の簡単な説明】
【０００７】
【図１】本考案に係る缶詰状生卵の外殻をアルミあるいはスチールにて製作した状態の断面図である。
【図２】本考案に係る缶詰状生卵を開閉した状態の図である。
【符号の説明】
【０００８】１  金属外殻（アルミあるいはスチール）
２  中間開閉部
Ｔ  生卵（黄卵）
Ｕ  抗菌用わさびガス
【手続補正３】
【補正対象書類名】図面
【補正対象項目名】全図
【補正方法】変更
【補正の内容】
【図１】
0003154990.tif 000006
【図２】
0003154990.tif 000007
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
品質変性回避のため通常の缶詰加工に採用される加熱殺菌・抗菌を避け、殺菌・抗菌方法に「光パルス殺菌」および「わさびガス封入抗菌」を採用し、かつ、鶏卵を内部に収容し、ネジで分割可能にした鶏卵形状の缶詰。
(57)【要約】      （修正有）【課題】椅子背もたれの裏側にＩＣタグを取り付けた椅子を提供する。【解決手段】椅子の樹脂部分にＩＣタグ７を取り付けたことを特徴とする。ＩＣタグにリーダーライターでデーターの書き込みをする。ＩＣタグに書き込んだデーターをＩＣタグリーダーを使用して作業をする。従って、入出荷検品、在庫棚卸しの作業時間の短縮とミスをなくし労働生産性が向上する。また、最新の在庫データーを把握することができる。【選択図】図１
0003154989.tif 000002
【実用新案登録請求の範囲】
【請求項１】
（イ）椅子背もたれ（４）の裏側のＩＣタグ設置場所（１）又はＩＣタグ設置場所（２）又は椅子座面（５）の裏側のＩＣタグ設置場所（３）のいずれか１箇所にＩＣタグ（７）を取り付けた椅子。
以上のごとく構成された椅子。
【考案の詳細な説明】
【技術分野】
【０００１】  本考案は、樹脂部分にＩＣタグ（７）を取り付けた椅子（６）に関するものである。
【背景技術】
【０００２】  従来、椅子（６）にＩＣタグが取り付けられた椅子がなかった。
【考案の開示】
【考案が解決しようとする課題】
【０００３】  （イ）製品の入庫、出庫を人の目視で確認をしていた為に作業時間が掛かった。
（ロ）製品の在庫棚卸しを人の目視で確認をしていた為に作業時間が掛かった。
（ハ）製品の保管場所を人の目視で確認をしていた為に作業時間が掛かった。
本考案は、これらの欠点を除くためになされたものである。【０００３】
【課題を解決するための手段】
【０００４】  （イ）椅子の背もたれ（４）の裏側、座面（５）の裏側の樹脂部分の１箇所にＩＣタグを埋め込み又は貼り付ける。
（ロ）ＩＣタグにリーダーライターでデーターの書き込みをする。
（ハ）ＩＣタグに書き込んだデーターをＩＣタグリーダーを使用して作業をする。
【考案の効果】
【０００５】  （イ）入出荷検品、在庫棚卸しの作業時間の短縮とミスをなくし労働生産性が向上する。
（ロ）最新の在庫データーを把握することができる。
【考案を実施するための最良の形態】
【０００６】  以下、本考案の実施例について説明する。
（イ）椅子背もたれ（４）の裏側のＩＣタグ設置場所（１）又はＩＣタグ設置場所（２）又は椅子座面（５）の裏側のＩＣタグ設置場所（３）のいずれか１箇所にＩＣタグ（７）を取り付けた椅子。
【図面の簡単な説明】
【０００７】
【図１】本考案の斜視図、である。
【符号の説明】
【０００８】      １  ＩＣタグ設置場所
２  ＩＣタグ設置場所
３  ＩＣタグ設置場所
４  椅子背もたれ
５  椅子座面
６  椅子
７  ＩＣタグ
【図１】
0003154989.tif 000003
【手続補正書】
【提出日】平成21年4月20日(2009.4.20)
【手続補正１】
【補正対象書類名】実用新案登録請求の範囲
【補正対象項目名】全文
【補正方法】変更
【補正の内容】
【実用新案登録請求の範囲】
【請求項１】
（イ）椅子背もたれ（４）の裏側に２箇所設けられたＩＣタグ設置場所（１）（２）又は椅子座面（５）の裏側のＩＣタグ設置場所（３）のいずれか１箇所にＩＣタグ（７）を取り付けた椅子。
【手続補正書】
【提出日】平成21年7月31日(2009.7.31)
【手続補正１】
【補正対象書類名】実用新案登録請求の範囲
【補正対象項目名】全文
【補正方法】変更
【補正の内容】
【実用新案登録請求の範囲】
【請求項１】
椅子背もたれ（４）の裏側に２箇所設けられたＩＣタグ設置場所（１）（２）又は椅子座面（５）の裏側のＩＣタグ設置場所（３）のいずれか１箇所にＩＣタグ（７）を取り付けた椅子。
(57)【要約】      （修正有）【課題】車輪の衝撃を軽減するエキスパンションジョイントカバー先端用ＬＲＳ装置を提供する。【解決手段】エキスパンションジョイントカバー本体と先端可動カバーと連結する兆番を代替する羽板を通しピンで繋ぐ。【選択図】図１
0003154999.tif 000002
【実用新案登録請求の範囲】
【請求項１】
見切り板を使ってエキスパンションジョイントカバーの先端可動カバーの面は地面と同じレベルにする構造。
【請求項２】
羽板と滑り台の傾斜を利用し、先端カバーを水平昇降させる仕組み。
【請求項３】
エキスパンションジョイントカバー本体と先端可動カバーと連結する兆番を代替するピン方式。
【考案の詳細な説明】
【技術分野】
【０００１】  本考案はエキスパンションジョイントカバーの可動と安全技術に関するものである。
【背景技術】
【０００２】  従来の構造はエキスパンションジョイントカバーの先端可動カバー（通称：チェッカープレート）と本体の連結金具は兆番であり、先端可動カバーの肉厚分が地面の上に出るものである。
【先行技術文献】
【特許文献】
【０００３】
【特許文献１】
【非特許文献】
【０００４】
【非特許文献１】
【考案の概要】
【考案が解決しようとする課題】
【０００５】  従来の先端可動カバーは肉厚分が地面より出たため、車輪の衝撃が当たられたり、また兆番で本体と連結し、圧力が兆番に集中するため、先端カバーが外れるケースが多い。
従来の先端可動カバーには歩行者の足が当たり、歩行者が転倒させる不安全面もある。
【課題を解決するための手段】
【０００６】  本考案は先端可動カバーの面を地面と同じレベルにする。エキスパンションジョイントカバー本体と先端可動カバーの連結する兆番を羽板とピン式で代替し、滑り台の傾斜面を利用し、地震の初動時に先端可動カバーを水平に上昇させ、見切り板を超えたら、回転する構造である。
【考案の効果】
【０００７】  本考案は先端カバーの面を地面と同じレベルにするため、車輪の衝撃を軽減し、歩行者が通りやすくなる。羽板のピッチは先端可動カバーが受ける荷重により決め、羽板をピンで貫通し、先端カバーと本体を連結させるため、強度が増強される。
【図面の簡単な説明】
【０００８】
【図１】ＬＲＳ装置断面図は本考案の構成する部分を示す図面である。
【図２】ＬＲＳ装置平面図は本考案の各部分の位置を示す図面である。
【図３】本考案と関連部分を示す図面である。
【図４】本考案の可動部分の動きを示す図面である。
【図５】本考案の回転状態を示す図面である。
【考案を実施するための形態】
【０００９】  地球側の滑り台に地面と同じ面の見切り板を取り付け、先端カバーの肉厚と本体の高さにより、滑り台の傾斜面の長さを決める。先端カバー下に傾斜水平羽板を溶接し、本体に垂直羽板を溶接し、それぞれに穴をあけ、ピンで貫通し、ボルトで締め、先端可動カバーと本体と連結する。
【実施例】
【００１０】  以下、添付図面に従って、実施例を説明する。Ａは建物側の地面、Ｃは地球側の地面、Ｂは建物側と地球側と連結するエキスパンションジョイントカバー本体である。その本体の先端部に位置する１から７までの部品の組み合わせは本考案のＬＲＳ装置である。
地震が発生するとき、地球側の地面Ｃが建物側Ａに水平偏移し、本体Ｂの底角とＬＲＳ装置の水平羽板４は滑り台２の斜面と競り上げて、まず先端可動カバー３が水平に上昇し、見切り板１の縁を越えたら、先端可動カバー３が回転し、安全を保つ。
【符号の説明】
【００１１】１  見切り板
２  滑り台
３  先端可動カバー
４  水平羽板
５  垂直羽板
６  ピン
７  ナット
Ａ  建物側
Ｂ  エキスパンションジョイントカバー本体
Ｃ  地球側
【図１】
0003154999.tif 000003
【図２】
0003154999.tif 000004
【図３】
0003154999.tif 000005
【図４】
0003154999.tif 000006
【図５】
0003154999.tif 000007
【手続補正書】
【提出日】平成21年7月30日(2009.7.30)
【手続補正１】
【補正対象書類名】実用新案登録請求の範囲
【補正対象項目名】全文
【補正方法】変更
【補正の内容】
【実用新案登録請求の範囲】
【請求項１】
エキスパンションジョイントカバー本体と先端可動カバーと連結する兆番を代替する羽板を通しピンで繋ぐ装置。
(57)【要約】      （修正有）【課題】買い物時の支払いの際に、硬貨の判別をし易く、手間取る事無く速やかに取り出せ、紙幣の分別や、多種のカード、券類をたくさん収納し、整理整頓できる貨幣入れを提供する。【解決手段】貨幣入れ本体に、上辺が円弧を描いた２つの上蓋と下蓋、及び、下蓋と同じ高さの側壁がある。側壁、上蓋及び下蓋に囲まれた小銭入れの内側には、左右四段ずつのポケット状カード入れが設置される。上蓋と側壁により折れまちポケットが構成され、その内部には、袋状のポケットと札入れを有している。【選択図】図３
0003154997.tif 000002
【実用新案登録請求の範囲】
【請求項１】
貨幣入れ本体に二つの上蓋（ａ，ａ’）一つの下蓋を設け上蓋の上辺が円弧を描いている。下蓋と同じ高さの側壁を設け、その側壁及び下辺が上蓋、下蓋、及び貨幣入れ本体の側辺に固定されている。一辺は側壁の上辺のおよそ中央部より手前方向へ、もう一辺は、上蓋の折り返し線と同線上に折り返し線を施して成る小銭入れの内側に、上蓋ａから続く内面に上蓋ａの側辺と、本体の底辺に固定され本体の側辺と同じ高さの左右四段づつのポケットを設けたカード入れがその側辺と上蓋ａの側辺に固定さている。上蓋ａ’は下辺から上蓋ａの約２／３の高さを有し、上蓋ａの側辺と、上蓋ａ’側辺に固定され、本体の側辺と同じ高さを有し、内方向への折り返し線から成る側壁により、折れまちポケットを構成している。おれまちポケット内部には側壁の奥の側辺と上蓋ａ’の側辺、及び本体の底辺に固定されその上辺に引き手とファスナーを施された袋状のポケットと上蓋ａの背面から成る札入れを有し、上蓋ａ’から続く本体の後壁の内面に、左右四段ずつのポケットを設けたカード入れ付き貨幣入れである。さらに、収納量にあわせて下蓋に２か所設置された係止具により調整できる機能を有している。
【考案の詳細な説明】
【技術分野】
【０００１】  本考案は、内部全体を見渡せる様に、硬貨入れ部を広く、大きく開放できる折り畳み式の小銭入れと、３箇所の札入れ部、８枚ずつ収納可能なカード入れ、そして１箇所のファスナー付きポケットを設けた貨幣入れ。
【背景技術】  従来の貨幣入れは、小銭入れ口が狭いために硬貨の種類の判別がしづらく、取り出しに手間取ったり、札入れ部が１箇所しかない為に、海外旅行の際などで、その国の貨幣と、日本国の貨幣とを分けて収納する事が困難である場合があった。また、嵩張るカード類や、紛失し易い買い物券や引換券等を、すっきりと収納し難かった。
【考案が解決しようとする課題】
支払いの際、小銭入れ口が狭い為に、硬貨の判別や取り出しに手間取り、焦って貨幣を出してしまいがちである。その結果、釣り銭として硬貨が返ってきて、小銭が増え、さらに判別するのに難しくなる、といった悪循環をなくし、レシートや買い物券等でつい乱雑になりがちな貨幣入れ内部を見やすく片付け、使い勝手の良いものにする。
【課題を解決する為の手段】
小銭入れ口を広く、大きく開放でき、内部の硬貨を明瞭に判別できる小銭入れを設ける。札入れは、種類別に収納できる様に３箇所設け、その内の１箇所は小銭入れ内部に設け、札入れ用としてだけでなく、レシート、パスポート等を速やかに収納する事ができる。そして、全１６枚のカードを嵩張らず収納できる様に、それぞれ８枚ずつ収納可能なカード入れを２箇所に設け、紛失しがちな買い物券や引換券を収納する為に、ファスナー付きのポケットを設けた。
【考案の効果】
硬貨を取り出し易く、紙幣やカード、買い物券等の所在が明瞭な為、焦らず、速やかな支払いを促す。
【考案を実施するための最良の形態】    添付図面に従って説明する。２に上蓋ａを上方向へ開き、４の下蓋も手前に引き開け、８の小銭入れ内部全体が見える様に開放し、硬貨を容易に判別し、取り出す事が出来る。
【実施例】    添付図面に従って実施例を説明する。例えば、８の小銭入れ内部に硬貨を入れ、その後壁内側に設けた７の札入れｄに千円札を、３の上蓋ａ’を開けた内部にある１１の札入れｄ’に五千円札、そして、その後方の１４の札入れｄ”には一万円札を分けて入れ、１９のポケットには買い物券や、クリーニング店の引換券を入れておく。
【図面の簡単な説明】図は本考案貨幣入れの実施例を示すものであって【図１】は全体の正面図、
【図２】は上蓋ａを開いた状態を示す正面図、
【図３】は上蓋と下蓋を開いた状態を示す正面図、
【図４】は上蓋ａ’を開いた状態を示す斜視図、
【図５】は上蓋ａ’を開き、引き手とファスナーを施されたポケットを手前に引き倒した状態を示す斜視図である。
【符号の説明】１−貨幣入れ本体、２−上蓋ａ、３−上蓋ａ’、４−下蓋、５−側壁、６−カード入れｂ、７−札入れｄ、８−小銭入れｃ、９−ファスナー、１０−引き手、１１−札入れｄ’、１２−側壁、１３−カード入れｂ’、１４−札入れｄ’’、１５−係止具ｅ、１６−係止具ｅ’、１７−係止具ｅ’’、１８−係止具ｅ’’’、１９−ポケット。
【図１】
0003154997.tif 000003
【図２】
0003154997.tif 000004
【図３】
0003154997.tif 000005
【図４】
0003154997.tif 000006
【図５】
0003154997.tif 000007
【手続補正書】
【提出日】平成21年8月3日(2009.8.3)
【手続補正１】
【補正対象書類名】実用新案登録請求の範囲
【補正対象項目名】全文
【補正方法】変更
【補正の内容】
【実用新案登録請求の範囲】
【請求項１】
（１）貨幣入れ本体には上辺が円弧を描いた２つの上蓋（ａ、ａ’）と下蓋がある。
（２）下蓋と同じ高さの側壁は、その側壁及び下辺が上蓋、下蓋、及び貨幣入れ本体の側辺に固定されている。
（３）左右の側壁と上蓋（ａ）、下蓋により囲まれ構成される小銭入れ内側には、本体の底辺、側辺、上蓋ａに固定された、側辺と同じ高さの左右四段ずつのポケット状カード入れが設置されている。
（４）上蓋ａ’と上蓋ａの側辺に固定された、本体の側辺と同じ高さを有する側壁により、折れまちポケットを構成している。
（５）おれまちポケット内部には、上蓋ａ’の側辺及び本体の底辺に固定され、その上辺に引き手とファスナーを施した袋状のポケットと、上蓋ａの背面から成る札入れを有している。また上蓋ａ’から続く本体の後壁の内面に、左右四段ずつのポケット状カード入が設置されている。
（６）貨幣、紙幣、その他収納物の収納量にあわせ、下蓋に２か所設置した係止具により調整できる機能を有する。
以上からなる貨幣入れ。
【手続補正２】
【補正対象書類名】図面
【補正対象項目名】図３
【補正方法】変更
【補正の内容】
【図３】
0003154997.tif 000008
【手続補正３】
【補正対象書類名】図面
【補正対象項目名】図４
【補正方法】変更
【補正の内容】
【図４】
0003154997.tif 000009
【手続補正４】
【補正対象書類名】図面
【補正対象項目名】図５
【補正方法】変更
【補正の内容】
【図５】
0003154997.tif 000010